(57)【要約】【課題】指針袴およびキャップの小型化を図り、デザインの自由度を高めることが可能な計器用指針を提供すること。【解決手段】棒状の指針部を有するとともに指針部の基端から下方へ延びる指針軸４３を有する指針本体１６と、指針部の一部及び指針軸４３の一部を収容する接合部３４を備えたキャップ１７と、下端側から回転軸１８が嵌合される嵌合孔２３を有する連結筒部２１と、接合部３４が接合される支持部２２とを有する指針袴１５と、を備え、接合部３４と支持部２２とが、連結筒部２１の外径の範囲内で軸方向に凹凸嵌合されて接合されている。【選択図】図３
2014149245.tif 000002
【特許請求の範囲】
【請求項１】
棒状の指針部を有するとともに該指針部の基端から下方へ延びる指針軸を有する指針本体と、
前記指針部の一部及び前記指針軸の一部を収容する接合部を備えたキャップと、
下端側から回転軸が嵌合される嵌合孔を有する連結筒部と、前記接合部が接合される支持部とを有する指針袴と、
を備え、
前記接合部と前記支持部とが、前記連結筒部の外径の範囲内で軸方向に凹凸嵌合されて接合されていることを特徴とする計器用指針。
【請求項２】
前記指針本体が導光性材料から形成され、前記回転軸から照射される光が前記嵌合孔内で前記指針軸から前記指針本体内へ導かれ、
前記接合部と前記支持部との凹凸嵌合箇所には、互いに噛み合う段部が周方向に沿って形成されていることを特徴とする請求項１に記載の計器用指針。
【請求項３】
前記キャップは、上面板部と、該上面板部の外縁から下方へ延びる側面板部とを有し、前記接合部と前記支持部との凹凸嵌合箇所は、前記側面板部の下縁よりも上方側に配置されていることを特徴とする請求項１または２に記載の計器用指針。
【請求項４】
前記指針本体と前記指針袴とが一体成形され、前記指針袴の前記支持部に前記指針本体の前記指針軸が連結されていることを特徴とする請求項１から３のいずれか一項に記載の計器用指針。
【発明の詳細な説明】
【技術分野】
【０００１】
本発明は、計器装置に設けられて文字板の数字などを指し示す計器用指針に関するものである。
【背景技術】
【０００２】
従来より、自動車等の各種乗物は、文字板の数字などを指し示す指針を備えた計器装置を備えている。
【０００３】
この計器装置には、指針本体と、この指針本体の基端部を覆うキャップと、指針本体から延びる指針軸を支持する指針袴とを備え、指針袴に形成された外周へ張り出す円盤部に指針本体の基端部を載置させ、円盤部を覆うようにキャップを被せて固定するものが知られている（例えば、特許文献１参照）。
【先行技術文献】
【特許文献】
【０００４】
【特許文献１】特開２００８−１２２３０５号公報
【発明の概要】
【発明が解決しようとする課題】
【０００５】
上記の計器装置に設けられる指針は、ムーブメントの回転軸が接続される軸部の上端に形成されて外周へ張り出す指針袴の円盤部を覆うようにキャップを被せ、円盤部の外縁でキャップを係止して固定する構造であるので、指針袴及びキャップの大型化が免れず、この結果、指針全体のデザインに制約が与えられてしまう。
【０００６】
本発明は、上述した事情に鑑みてなされたものであり、その目的は、指針袴およびキャップの小型化を図り、デザインの自由度を高めることが可能な計器用指針を提供することにある。
【課題を解決するための手段】
【０００７】
前述した目的を達成するために、本発明に係る計器用指針は、下記（１）〜（４）を特徴としている。
（１）  棒状の指針部を有するとともに該指針部の基端から下方へ延びる指針軸を有する指針本体と、
前記指針部の一部及び前記指針軸の一部を収容する接合部を備えたキャップと、
下端側から回転軸が嵌合される嵌合孔を有する連結筒部と、前記接合部が接合される支持部とを有する指針袴と、
を備え、
前記接合部と前記支持部とが、前記連結筒部の外径の範囲内で軸方向に凹凸嵌合されて接合されていること。
（２）  上記（１）の構成の計器用指針において、
前記指針本体が導光性材料から形成され、前記回転軸から照射される光が前記嵌合孔内で前記指針軸から前記指針本体内へ導かれ、
前記接合部と前記支持部との凹凸嵌合箇所には、互いに噛み合う段部が周方向に沿って形成されていること。
（３）  上記（１）または（２）の構成の計器用指針において、
前記キャップは、上面板部と、該上面板部の外縁から下方へ延びる側面板部とを有し、前記接合部と前記支持部との凹凸嵌合箇所は、前記側面板部の下縁よりも上方側に配置されていること。
（４）  上記（１）〜（３）のいずれか１つの構成の計器用指針において、
前記指針本体と前記指針袴とが一体成形され、前記指針袴の前記支持部に前記指針本体の前記指針軸が連結されていること。
【０００８】
上記（１）の構成の計器用指針では、キャップの接合部と指針袴の支持部とを、指針袴の連結筒部の外径の範囲内で軸方向に凹凸嵌合させて接合させる構造としている。これにより、連結筒部から外周へ張り出す指針袴の円盤部を覆うようにキャップを被せて円盤部の外縁でキャップを係止して固定する構造と比較し、連結筒部の外側にキャップを固定するための固定用のスペースを設ける必要がなくなる。よって、指針袴及びキャップの小型化を図ることができ、これにより、デザインの自由度を高めることができる。
上記（２）の構成の計器用指針では、接合部と支持部との凹凸嵌合箇所に、互いに噛み合う段部を周方向に沿って形成したことで、回転軸から照射されて指針本体の指針軸から指針本体へ導かれる光が凹凸嵌合箇所から漏れ出すことを抑えることができる。これにより、指針本体を良好に発光照明させることができる。
上記（３）の構成の計器用指針では、キャップの接合部と指針袴の支持部との凹凸嵌合箇所をキャップの側面板部で隠すことができ、良好な外観を得ることができる。
上記（４）の構成の計器用指針では、指針本体が指針袴に一体的に設けられているので、組立工数を削減して組立作業性を向上させることができる。
【発明の効果】
【０００９】
本発明によれば、指針袴およびキャップの小型化を図り、デザインの自由度を高めることが可能な計器用指針を提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、本実施形態に係る計器用指針の斜視図である。
【図２】図２は、計器用指針における指針袴とキャップとの接合箇所を指針部に沿う方向に破断した斜視図である。
【図３】図３は、計器用指針における指針袴とキャップとの接合箇所を指針部に直交する方向に破断した斜視図である。
【図４】図４は、指針袴の斜視図である。
【図５】図５は、指針袴の平面図である。
【図６】図６は、指針袴の側面図である。
【図７】図７は、キャップの内側から視た斜視図である。
【図８】図８は、キャップの裏面図である。
【図９】図９は、キャップの側面図である。
【図１０】図１０は、計器用指針の全体の概略斜視図である。
【図１１】図１１は、変形例１に係る計器用指針における指針袴とキャップとの接合箇所を指針部に直交する方向に破断した斜視図である。
【図１２】図１２は、変形例２に係る計器用指針における指針袴とキャップとの接合箇所を指針部に直交する方向に破断した斜視図である。
【図１３】図１３は、変形例３に係る計器用指針における指針袴とキャップとの接合箇所を指針部に直交する方向に破断した斜視図である。
【図１４】図１４は、変形例３に係る計器用指針のキャップの内側から視た斜視図である。
【図１５】図１５は、変形例３に係る計器用指針の指針袴の斜視図である。
【図１６】図１６は、変形例４に係る計器用指針のキャップの内側から視た斜視図である。
【図１７】図１７は、変形例４に係る計器用指針の指針本体の基部の斜視図である。
【図１８】図１８は、変形例４に係る計器用指針における指針袴とキャップとの接合箇所の指針部に直交する方向の断面図である。
【図１９】図１９は、変形例４に係る計器用指針における指針袴とキャップとの接合箇所の指針部に直交する方向の断面図である。
【図２０】図２０は、変形例５に係る計器用指針における指針袴とキャップとの接合箇所の指針部に直交する方向の断面図である。
【発明を実施するための形態】
【００１２】
以下、本発明に係る実施の形態の例を、図面を参照して説明する。
【００１３】
図１は、本実施形態に係る計器用指針の斜視図、図２は、計器用指針における指針袴とキャップとの接合箇所を指針部に沿う方向に破断した斜視図、図３は、計器用指針における指針袴とキャップとの接合箇所を指針部に直交する方向に破断した斜視図、図４は、指針袴の斜視図、図５は、指針袴の平面図、図６は、指針袴の側面図、図７は、キャップの内側から視た斜視図、図８は、キャップの裏面図、図９は、キャップの側面図、図１０は、計器用指針の全体の概略斜視図である。
【００１４】
図１から図３に示すように、本実施形態の計器用指針１１は、例えば、自動車等の車両の速度計や回転計などの計器装置に設けられるものであり、文字板１２に表記された車両速度やエンジン回転数を示す数字や目盛を指し示すものである。計器用指針１１は、指針袴１５と、指針本体１６と、キャップ１７とを備えており、回転軸１８に取り付けられる。
【００１５】
回転軸１８は、ムーブメント（図示略）のステッピングモータによって回転されるもので、この回転軸１８が回転されることで、計器用指針１１が文字板１２の表面に沿って回動され、車両速度やエンジン回転数などの必要な各種情報が指針本体１６で指し示される。回転軸１８の下端には、光源（図示略）が設けられており、光源から照射された光が回転軸１８の下端から導入し、回転軸１８の上端から出射するようになっている。
【００１６】
図４から図６に示すように、指針袴１５は、筒状に形成された連結筒部２１と、この連結筒部２１の上部に設けられた支持部２２とを備えている。この指針袴１５は、例えば、有色の合成樹脂から成形することで非導光とされている。指針袴１５には、上下に連通する嵌合孔２３が形成されており、この嵌合孔２３には、連結筒部２１の下端側から回転軸１８の上端が嵌合される。
【００１７】
支持部２２には、上面における両側に、円弧状凹部（凹部）２４が形成されている。これらの円弧状凹部２４は、嵌合孔２３の内周に沿って平面視円弧状に形成されている。円弧状凹部２４は、連結筒部２１の外径より小さな外径を有している。
【００１８】
また、支持部２２には、上面における両側に、係合凹部２５が形成されている。これらの係合凹部２５は、それぞれの円弧状凹部２４の中央部から外側へ向かって形成されている。そして、この係合凹部２５を形成することで、連結筒部２１の側部には、嵌合孔２３と連通する窓部２６が形成されている。係合凹部２５は、円弧状凹部２４よりも、軸方向の深さが浅くされている。これにより、円弧状凹部２４と係合凹部２５との間には、周方向に沿う段部２７が形成されている。
【００１９】
支持部２２には、その一端側に、指針本体１６が載置される指針載置面２２ａが設けられている。また、支持部２２における指針載置面２２ａと反対側には、嵌合孔２３の近傍に、位置決め凹部２９が形成されている。
【００２０】
指針袴１５は、回転軸１８を連結筒部２１の嵌合孔２３に嵌合させることで、回転軸１８に固定される。これにより、指針袴１５は、回転軸１８の回転に伴って回転する。
【００２１】
図７から図９に示すように、キャップ１７は、上面板部３１と、この上面板部３１の外縁から下方へ延びる側面板部３２とを有している。このキャップ１７は、例えば、有色の合成樹脂から成形することで非導光とされている。
【００２２】
このキャップ１７には、上面板部３１の裏面側に、下方へ突出するブロック部３３を有する接合部３４が設けられている。ブロック部３３には、キャップ１７を指針袴１５へ装着した際に、指針本体１６が配置される指針装着側１７ａに開口部３５ａを有する穴部３５が形成されている。接合部３４には、ブロック部３３の下面における両側に、円弧状凸部（凸部）３６が形成されている。これらの円弧状凸部３６は、穴部３５の内周に沿って平面視円弧状に形成されている。
【００２３】
接合部３４のブロック部３３には、係合凸部３７が形成されている。これらの係合凸部３７は、それぞれ円弧状凸部３６の中央部から外側へ向かって形成されている。係合凸部３７は、円弧状凸部３６よりも、軸方向への突出長さが短くされている。これにより、円弧状凸部３６と係合凸部３７との間には、周方向に沿う段部３８が形成されている。また、ブロック部３３の下面には、指針装着側１７ａと反対側における穴部３５の近傍に、位置決め凸部３９が形成されている。
【００２４】
図２及び図３に示すように、指針本体１６は、指針袴１５に装着される基部４１と、この基部４１から延在する指針部４２とを有している。この指針本体１６は、導光性に優れた透光性（若しくは導光性）樹脂材料で成形されている。指針部４２の基端の基部４１には、指針軸４３が形成されている。指針軸４３は、指針部４２に対して略直交する方向へ延在されており、これにより、指針本体１６は、側面視で略Ｌ字状に形成されている。また、指針本体１６には、その基部４１における指針軸４３と反対側に、反射面４４が形成されている。また、指針本体１６には、その基部４１における指針部４２と反対側に、位置決め片４５が形成されている。
【００２５】
指針本体１６は、指針袴１５の支持部２２の指針載置面２２ａ側に指針部４２を向けた状態で、指針軸４３を指針袴１５の嵌合孔２３に挿し込むことで指針袴１５に装着されている。このように指針本体１６を指針袴１５に装着すると、指針部４２が指針載置面２２ａに載置され、指針軸４３が嵌合孔２３に嵌合され、さらに、位置決め片４５が位置決め凹部２９に係合される。これにより、指針本体１６は、指針袴１５の支持部２２に位置決めされた状態に取り付けられる。
【００２６】
キャップ１７は、指針袴１５の支持部２２に対して、その上方から嵌め込むことで装着される。このキャップ１７を支持部２２へ嵌め込むと、キャップ１７の接合部３４のブロック部３３に形成された穴部３５及び開口部３５ａに指針本体１６の反射面４４を有する基部４１が収容され、指針軸４３の両側に円弧状凸部３６が配置される。また、キャップ１７の接合部３４の円弧状凸部３６が指針袴１５の支持部２２の円弧状凹部２４に嵌合する。さらに、キャップ１７の係合凸部３７が指針袴１５の係合凹部２５に嵌合する。これにより、キャップ１７と指針袴１５とは、円弧状凹部２４と円弧状凸部３６とが連結筒部２１の外径の範囲内で凹凸嵌合し、さらに、係合凹部２５と係合凸部３７とが嵌合することで、指針袴１５とキャップ１７とが一体的に回転できる。また、窓部２６を通して指針袴１５とキャップ１７の嵌合状態を視認することができるため、指針袴１５とキャップ１７の未嵌合を防止することができる。
【００２７】
さらに、キャップ１７の位置決め凸部３９が、位置決め凹部２９に係合された指針本体１６の位置決め片４５に当接する。これにより、指針本体１６の位置決め片４５が位置決め凹部２９の底面と位置決め凸部３９とで挟持される。
【００２８】
そして、このようにキャップ１７を装着することで、指針袴１５の支持部２２に支持された指針本体１６の基部４１がキャップ１７で覆われることとなる。
【００２９】
なお、支持部２２の円弧状凹部２４と接合部３４の円弧状凸部３６との凹凸嵌合箇所は、圧入、溶着または爪による係止等のいずれの固定の仕方で固定しても良い。
【００３０】
また、上記の例では、指針袴１５に指針本体１６を装着した後にキャップ１７を指針袴１５へ装着したが、指針本体１６をキャップ１７へ装着した後に、キャップ１７を指針袴１５へ装着しても良い。
【００３１】
上記構造の計器用指針１１では、回転軸１８の下端に設けられた光源が点灯すると、その光源の光が回転軸１８を通り、回転軸１８の上端から出射する。この回転軸１８の上端から出射した光は、指針本体１６の指針軸４３の下端から指針軸４３に導入され、反射面４４で反射されて指針部４２へ導かれる。これにより、指針本体１６は、指針部４２の全体が発光照明されることとなる。
【００３２】
以上、説明したように、上記実施形態に係る計器用指針１１によれば、キャップ１７の接合部３４と指針袴１５の支持部２２とを、指針袴１５の連結筒部２１の外径の範囲内で軸方向に凹凸嵌合させて接合させる構造としている。
【００３３】
これにより、従来のように、連結筒部から外周へ張り出す指針袴の円盤部を覆うようにキャップを被せて円盤部の外縁でキャップを係止して固定する構造と比較し、連結筒部２１の外側にキャップ１７を固定するための固定用のスペースを設ける必要がなくなる。よって、図１０に示すように、大型であった指針袴１５及びキャップ１７（図１０中点線で示す状態）を、大幅に小型化することができ、デザインの自由度を高めることができる。
【００３４】
しかも、キャップ１７の接合部３４に形成した円弧状凸部３６を、指針袴１５の支持部２２に形成した円弧状凹部２４へ嵌合させることで、指針袴１５へキャップ１７を容易に装着させることができる。
【００３５】
また、接合部３４と支持部２２との凹凸嵌合箇所に、互いに噛み合う段部２７，３８を周方向に沿って形成したことで、回転軸１８から照射されて指針本体１６の指針軸４３から指針本体１６へ導かれる光が円弧状凹部２４と円弧状凸部３６との凹凸嵌合箇所から漏れ出すことを抑えることができる。これにより、指針本体１６を良好に発光照明させることができる。
【００３６】
次に、実施形態に係る計器用指針の各種の変形例について説明する。なお、上記実施形態と同一構造部分は同一符号を付して説明を省略する。
【００３７】
（変形例１）
図１１は、変形例１に係る計器用指針における指針袴とキャップとの接合箇所を指針部に直交する方向に破断した斜視図である。
【００３８】
図１１に示すように、この変形例１では、指針袴１５において、係合凹部２５の軸方向の深さが円弧状凹部２４よりも深くされている。同様に、キャップ１７において、係合凸部３７の軸方向への突出長さが円弧状凸部３６よりも長くされている。これにより、指針袴１５及びキャップ１７には、前述の段部２７，３８に対して噛み合う向きが逆の段部２７Ａ，３８Ａが形成されており、指針袴１５にキャップ１７を装着することで、これらの段部２７Ａ，３８Ａが互いに噛み合うこととなる。
【００３９】
この変形例１の場合も、キャップ１７の接合部３４と指針袴１５の支持部２２とを、指針袴１５の連結筒部２１の外径の範囲内で軸方向に凹凸嵌合させて接合するので、指針袴１５及びキャップ１７の小型化を図り、デザインの自由度を高めることができる。
【００４０】
また、接合部３４と支持部２２との凹凸嵌合箇所に、互いに噛み合う段部２７Ａ，３８Ａを周方向に沿って形成したことで、回転軸１８から照射されて指針本体１６の指針軸４３へ導かれる光が円弧状凹部２４と円弧状凸部３６との凹凸嵌合箇所から漏れ出すことを抑えることができる。これにより、指針本体１６を良好に発光照明させることができる。
【００４１】
（変形例２）
図１２は、変形例２に係る計器用指針における指針袴とキャップとの接合箇所を指針部に直交する方向に破断した斜視図である。
【００４２】
図１２に示すように、この変形例２では、指針袴１５の円弧状凹部２４とキャップ１７の円弧状凸部３６との凹凸嵌合による接合箇所がキャップ１７の側面板部３２の下縁よりも上方に配置されている。
【００４３】
この変形例２の場合も、キャップ１７の接合部３４と指針袴１５の支持部２２とを、指針袴１５の連結筒部２１の外径の範囲内で軸方向に凹凸嵌合させて接合するので、指針袴１５及びキャップ１７の小型化を図り、デザインの自由度を高めることができる。
【００４４】
また、この変形例２では、指針袴１５の円弧状凹部２４とキャップ１７の円弧状凸部３６との凹凸嵌合による接合箇所をキャップ１７の側面板部３２で隠すことができ、良好な外観を得ることができる。
【００４５】
（変形例３）
図１３は、変形例３に係る計器用指針における指針袴とキャップとの接合箇所を指針部に直交する方向に破断した斜視図、図１４は、変形例３に係る計器用指針のキャップの内側から視た斜視図、図１５は、変形例３に係る計器用指針の指針袴の斜視図である。
【００４６】
図１３から図１５に示すように、この変形例３では、指針袴１５の支持部２２に、円弧状凸部（凸部）５１を形成し、キャップ１７の接合部３４に、円弧状凸部５１が嵌合可能な円弧状凹部（凹部）５２を形成している。これにより、キャップ１７は、円弧状凹部５２に指針袴１５の円弧状凸部５１が嵌合することで、指針袴１５に接合される。
【００４７】
この変形例３の場合も、これらの円弧状凸部５１と円弧状凹部５２との嵌合による凹凸嵌合箇所は、指針袴１５の連結筒部２１の外径の範囲内に配置されている。したがって、指針袴１５及びキャップ１７の小型化を図り、デザインの自由度を高めることができる。
【００４８】
しかも、指針袴１５の支持部２２に形成した円弧状凸部５１を、キャップ１７の接合部３４に形成した円弧状凹部５２へ嵌合させることで、指針袴１５へキャップ１７を容易に装着させることができる。
【００４９】
（変形例４）
図１６は、変形例４に係る計器用指針のキャップの内側から視た斜視図、図１７は、変形例４に係る計器用指針の指針本体の基部の斜視図、図１８は、変形例４に係る計器用指針における指針袴とキャップとの接合箇所の指針部に直交する方向の断面図、図１９は、変形例４に係る計器用指針における指針袴とキャップとの接合箇所の指針部に直交する方向の断面図である。
【００５０】
図１６から図１８に示すように、この変形例４では、指針本体１６の基部４１及び基部４１から延びる指針軸４３の幅寸法が小さくされている。これに伴い、基部４１及び指針軸４３が収容されるキャップ１７における穴部３５の幅寸法及び円弧状凸部３６同士の間隔も小さくされている。
【００５１】
この変形例４の場合も、キャップ１７の接合部３４と指針袴１５の支持部２２とを、指針袴１５の連結筒部２１の外径の範囲内で軸方向に凹凸嵌合させて接合するので、指針袴１５及びキャップ１７の小型化を図り、デザインの自由度を高めることができる。
【００５２】
また、この変形例４では、指針本体１６の基部４１及び指針軸４３の幅寸法、キャップ１７における穴部３５の幅寸法及び円弧状凸部３６同士の間隔を小さくしたことで、図１９に示すように、キャップ１７の全体の幅寸法も小さくすること（図１９における点線の大きさから実線の大きさにすること）が可能となり、デザインの自由度をさらに高めることができる。
【００５３】
（変形例５）
図２０は、変形例５に係る計器用指針における指針袴とキャップとの接合箇所の指針部に直交する方向の断面図である。
【００５４】
図２０に示すように、この変形例５では、指針袴１５と指針本体１６とが一体成形され、指針袴１５の上端に、嵌合孔２３を塞ぐように指針本体１６の指針軸４３が連結されている。
【００５５】
この変形例５の場合も、キャップ１７の接合部３４と指針袴１５の支持部２２とを、指針袴１５の連結筒部２１の外径の範囲内で軸方向に凹凸嵌合させて接合するので、指針袴１５及びキャップ１７の小型化を図り、デザインの自由度を高めることができる。
【００５６】
また、この変形例５では、指針本体１６が指針袴１５に一体的に設けられているので、組立工数を削減して組立作業性を向上させることができる。
【００５７】
なお、本発明は上述した実施形態に何ら限定されるものではなく、その要旨を逸脱しない範囲において種々の形態で実施し得るものである。即ち、本発明の指針装置が適用された回転軸を備えたメータ装置としては、速度計や回転計に限らず、例えば、燃料計部あるいは水温計等の各種計器類に適用可能である。
【符号の説明】
【００５８】
１１  計器用指針
１５  指針袴
１６  指針本体
１７  キャップ
１８  回転軸
２１  連結筒部
２２  支持部
２３  嵌合孔
２４，５２  円弧状凹部（凹部）
２７，２７Ａ，３８，３８Ａ  段部
３１  上面板部
３２  側面板部
３４  接合部
３６，５１  円弧状凸部（凸部）
４２  指針部
４３  指針軸
【図１】
2014149245.tif 000003
【図２】
2014149245.tif 000004
【図３】
2014149245.tif 000005
【図４】
2014149245.tif 000006
【図５】
2014149245.tif 000007
【図６】
2014149245.tif 000008
【図７】
2014149245.tif 000009
【図８】
2014149245.tif 000010
【図９】
2014149245.tif 000011
【図１０】
2014149245.tif 000012
【図１１】
2014149245.tif 000013
【図１２】
2014149245.tif 000014
【図１３】
2014149245.tif 000015
【図１４】
2014149245.tif 000016
【図１５】
2014149245.tif 000017
【図１６】
2014149245.tif 000018
【図１７】
2014149245.tif 000019
【図１８】
2014149245.tif 000020
【図１９】
2014149245.tif 000021
【図２０】
2014149245.tif 000022